(57)【要約】【課題】農作物保冷庫用冷蔵ユニットにおいて、部品点数を低減し、安価に製作すること、冷却に伴う結露水処理の信頼性を高めること、冷蔵ユニットを軽量化し、設置性、安全性を改善する冷蔵ユニットを提供することを課題とする。【解決手段】図１は冷蔵ユニットの内部構成図である。本発明では冷蔵ユニットを構成するベース１に露受皿部３、蒸発皿部４、モーターベース６、７をプラスチックで一体成形し、また、ベース全体を露を受けられる容器構造とする事により、安価で、軽く、結露水のユニット外への滴下を防止できる冷蔵ユニットにすることが出来る。【選択図】    図１
2004251608.tif 000002
【特許請求の範囲】
【請求項１】
農産物を収容し、天井面に設置した冷蔵ユニットで農産物を冷蔵する農産物保冷庫にあって、その冷蔵ユニットの底面外筐をプラスチック製ベースとしたことを特徴とする農産物保冷庫の冷蔵ユニット
【請求項２】
農産物を収容し、天井面に設置した冷蔵ユニットで農産物を冷蔵する農産物保冷庫にあって、その冷蔵ユニットの外筐をプラスチック製両端板と鋼版製外板で構成したことを特徴とする農産物保冷庫の冷蔵ユニット
【請求項３】
プラスチック製ベースは冷却器の結露水を受けるツユ受け皿部を最高位点とし、ツユ受け皿部で受けた結露水が停滞なく流れるよう勾配を設けた水路を排熱側の凝縮器設置部まで構成すると共に、ベースは約３°位の傾斜取り付けでも水が溢れない深さとし、水が溜まる部位には水が洩れるような穴、隙間等が無いことを特徴とする請求項１、２項記載の冷蔵ユニット
【請求項４】
プラスチック製両端板は端面の露出は無く、外部に露出する角、陵は曲率半径をネズミがかじることができない２５ｍｍ以上とした請求項１、２項記載の冷蔵ユニット
【請求項５】
鋼版製外板はその下端と、設置する保冷庫天面の間の絶対寸法が６ｍｍ以下になるように構成した請求項１、２項記載の冷蔵ユニット
【請求項６】
冷蔵ユニットを構成する冷凍サイクルにあって、冷却器出口から圧縮機の吸込み口に接続する低圧冷媒管に結露防止用の断熱材を被せないことを特徴とする請求項１、２項記載の冷蔵ユニット
【発明の詳細な説明】
【０００１】
【発明の所属する技術分野】本発明は主に農産物を冷蔵するための農産物保冷庫用冷蔵ユニットの構造に関する。
【０００２】
【従来の技術】通常、この種農産物保冷庫は図５に示すように、前面に扉を有した断熱性の高い保冷庫２１天面に冷蔵ユニット２２を乗せ、冷却風を図６に示す保冷庫天面の開口２３から庫内に流し込むよう構成している。その内部構造は図７の内部構成図に示すように、底面は鋼版を折り曲げて製作したベース２４で、冷却側には保冷庫内の空気を吸い込み、冷却後、吐き出すための角穴２５が図６の保冷庫天面の開口２３に相対して設けられている。また冷却側の冷却風は図５のＡ−Ａ断面図で示す図８の矢印のように流れ、周囲を下断熱箱２６と上断熱箱２７にて囲い、保冷庫内の冷気洩れを防止している。また、下断熱箱２６の中央部は冷却器を設置する受け部２８を設け、そこに別途製作したプラスチック製の露受皿２９を乗せ、冷却器で結露した結露水を受け、排熱側へ流す構造となっている。排熱側には上記露受け皿から流れてきた結露水を受けるプラスチック製の蒸発皿３０が別途設けられており、この蒸発皿３０は排熱用凝縮器設置部まで設けられ、凝縮器の熱と排熱循環風とで蒸発させて外部に放出する。その他、ベース２４上には冷却側、排熱側の循環風を作るファンモートルを支持する鋼板製モータベース３１、３２も、それぞれ溶接あるいはネジ止め等で固着されている。また、冷蔵ユニットを構成する冷凍サイクルで、冷却器出口から圧縮機８に接続する低圧冷媒管９には一般的には結露するため、断熱性のパイプ３３を被せ、結露水がベース２４上に滴下するのを防止している。上記ベース上に構成した冷凍サイクル、送風機構全体を鋼板を折り曲げ、溶接し、デザインのため塗装を施して製作した外箱３４で被せ、冷蔵ユニットとしている。図８は冷蔵ユニットのＡ−Ａ縦断面図で冷却側の冷却器２に付いた結露水を露受皿２９で受け、排熱側に露受皿のトイ部３５を通して流し出し、排熱側の蒸発皿３０で受けて、凝縮器下部まで導き、蒸発放出する。
以上の如く鋼板とプラスチックを組み合せ、複雑な構造として構成しているため、製造にコストを要するとともに、冷却に伴う各所の結露に対し、断熱材や部品間の隙間埋め等で処理するも、部品数が多いため信頼性が薄いものであった。
【０００３】
【発明が解決しようとする課題】
しかしながら、以上の従来技術によれば、熱伝導の良い鋼板の部品を多用するため、冷却による温度差から、鋼板部品に結露をしてしまう。また、部品点数が多い事による部品間の隙間から、結露水の庫内滴下等の直接弊害が発生してしまった。また、鋼板部品であるがために錆びも発生し、外観的な不具合、強度的な低下もまねいていた。また、鋼板ベース端面での設置時の怪我、設置時の重さ等の弊害があり、さらに部品点数の多さから、製造コストは高いものとなってしまった。また、外箱は塗装であるため安価に多色塗りが出来ず、デザイン的にも制約されたものとなっていた。そこでこの発明は、冷蔵ユニットを構成する部品数を低減し、安価に製作すること、冷却に伴う結露水処理の信頼性を高めること、冷蔵ユニットを軽量化し、設置性、安全性を改善すること、また、デザイン性のある冷蔵ユニットを提供することを課題とする。
【０００４】
【課題を解決するための手段】
以上の課題を解決するために、請求項１の発明は、冷蔵ユニットの底面外筐をプラスチック製ベースで構成したことにより、従来の鋼板ベース上に設置していた露受皿、蒸発皿、冷却側、排熱側の循環風を作るファンモートルを支持するそれぞれのモーターベースが一つのベース面上で一体成形することができ、安価で、軽量な冷蔵ユニットを提供できるをことを特徴とする、農産物保冷庫の冷蔵ユニット
【０００５】請求項２の発明は、冷蔵ユニットの外筐をプラスチック製両端板と鋼板製外板で構成したことをにより、従来、鋼板を切り、曲げ、溶接、塗装して製作した工程が、溶接不要となり、塗装についても溶接が無くなることで、容易に塗装鋼板化することができ、安価に製作できるものである。また、プラスチック製両端板は、丸みを持たせた形状等自由に製作でき、また、プラスチック製両端板と鋼版製外板の色を、安価に違う色とすることが出来るため、デザイン的にも優れたものとすることが出来ることを特徴とする、農産物保冷庫の冷蔵ユニット
【０００６】請求項３の発明は、プラスチック製ベースは冷却器の結露水を受けるツユ受け皿部を最高位点とし、ツユ受け皿部で受けた結露水が停滞なく流れるよう勾配を設けた水路を排熱側の凝縮器設置部まで構成すると共に、ベースは約３°の傾斜取り付けでも水が溢れない深さとし、水が溜まる部位には水が洩れるような穴、隙間等をなくすことにより、冷却器に結露した水を確実に凝縮器下部まで流し、低圧パイプ、冷却風等で冷却された壁面と高温空気が接触する部位、隙間からの冷却風洩れによる高温空気との混合で思わぬ箇所に結露した結露水を、ベース全体を一つの露受皿とし受ける構造とし、また、冷却側の断熱箱部もベース上から構成するのではなく、ベース底面を持ち上げ、そこに嵌合する断熱材を下から挿入して構成することにより、冷蔵ユニット外への露の滴下を防止することを特徴とする冷蔵ユニット
【０００７】請求項４の発明は、プラスチック製両端板は端面の露出は無く、外部に露出する角、陵は曲率半径をネズミがかじることができない２５ｍｍ以上としたことにより、冷蔵ユニット内へのネズミの侵入を防止することを特徴とする冷蔵ユニット
【０００８】請求項５の発明は、鋼版製外板はその下端と、設置する保冷庫天面の間の絶対寸法が６ｍｍ以下になるように構成したことにより、たとえベース端面がネズミにかじられても保冷庫内へのネズミの侵入を防止することを特徴とする冷蔵ユニット
【０００９】請求項６の発明は、冷蔵ユニットを構成する冷凍サイクルにあって、冷却器出口から圧縮機の吸込み口に接続する低圧冷媒管に結露防止用の断熱材を被せないことで、安価に製作することを特徴とする冷蔵ユニット
【００１０】
【発明の実施形態】
この発明の一実施形態を図１に示す。図１は冷蔵ユニットの内部構成図である。本発明では冷蔵ユニットを構成するベース１をプラスチックで露皿、蒸発皿と一体にして製作することにあり、冷却器２下部に構成する露受皿部３の底面を最高位として排熱側の凝縮器下部の蒸発皿部４まで勾配を設け、冷却器２で採取した結露水を停滞なく流し導く。これを結露水の流れに沿った図１の断面Ｂ−Ｂで示したのが図２であり、冷却器２下部の露受皿部３を最高位として排熱側の凝縮器（図示せず）下部に位置する蒸発部４まで勾配を設けて連続的に構成する。ベースの深さは約３°の傾斜取り付けでも水が溢れない深さとし、この高さまで水を溜めることができる。このため水が溜められる部位には一切の穴、隙間等は設ず水洩れの防止を図る。ベースを一体で製作することに付随して、冷却側、排熱側の循環風を作るファンモートルを支持するそれぞれのモーターベース６、７も同時成形で製作する。一つの露受皿として構成されたベース上に設置する各種部品への結露は基本的には全てベース１で受け、冷却器２と圧縮機８を接続する低圧管９への断熱材は不要となる。図３は冷却器２を支持する露受皿部３と冷却循環風の吸込み部１０吐出部１１を断面で表した図１のＣ−Ｃ断面図であり、この部位は低温となるため外部と断熱する必要がある。
この断熱方法も、組合せ隙間の排除のため底面を凸状に持ち上げ、持ち上げた隙間１２、１３に下から嵌合する断熱材を挿入して構築する。また、このプラスチックベース１に被せる外板１４はプラスチック製の端板１  １５端板２  １６ではさみ込むように製作し、端板１、端板２の外部に露出する角陵の曲率半径はねずみがかじることができない２５ｍｍ以上とする。さらに外板１４の下端１７は図１の断面Ｄ−Ｄに示す図４のように、図６の保冷庫１８の天面を構成する鋼板製外板１９との寸法Ｌが６ｍｍ以下になるよう、保冷庫１８と冷蔵ユニットの取付寸法関係にすることで、仮にねずみがベース端面２０をかじっても、Ｌ寸法が６ｍｍ以下であるため、それ以上内部には侵入できない。
【発明の効果】以上説明したように本願発明は、農産物を冷蔵するための保冷庫の冷蔵ユニットのベース、露皿、蒸発皿、ファンモーター固定座を一体のプラスチックで製作する事により、部品点数を減少させ、安価に製作することが出来る。また、ベース全体を水が受けられるように容器状にプラスチックで製作する事により、冷却に伴う結露滴下をベースで受け、冷蔵ユニット外への滴下防止をすることが出来る。また、プラスチック部品を多用することで、冷蔵ユニットの重量が軽くなり、設置時の作業者への負担を軽減することが出来る。また、ベースをプラスチックで製作する事により、金属にはあるエッジがなくなり、設置時の端面触手等のけがも排除することが出来る。
【図面の簡単な説明】
【図１】本願発明の冷蔵ユニット内部構成図
【図２】図１のＢ−Ｂ断面図
【図３】図１のＣ−Ｃ断面図
【図４】図１のＤ−Ｄ断面図
【図５】従来の農産物保冷庫斜視図
【図６】保冷庫天面斜視図
【図７】従来の冷蔵ユニット内部構成図
【図８】図５のＡ−Ａ断面図
【符号の説明】
１．本願発明のベース
２．冷却器
３．露受皿部
４．蒸発皿部
５．フランジ
６．モーターベース
７．モーターベース
８．圧縮機
９．低圧冷媒管
１０．庫内空気吸込み口
１１．庫内空気吐出口
１２．断熱隙間
１３．断熱隙間
１４．外板
１５．端板１
１６．端板２
１７．外板下端
１８．保冷庫
１９．保冷庫外皮
２０．ベース端面
２１．保冷庫
２２．冷蔵ユニット
２３．保冷庫天面の開口
２４．従来のベース
２５．角穴
２６．下断熱箱
２７．上断熱箱
２８．受け部
２９．露受皿
３０．蒸発皿
３１．モーターベース
３２．モーターベース
３３．断熱パイプ
３４．外箱
３５．トイ
【図１】
2004251608.tif 000003
【図２】
2004251608.tif 000004
【図３】
2004251608.tif 000005
【図４】
2004251608.tif 000006
【図５】
2004251608.tif 000007
【図６】
2004251608.tif 000008
【図７】
2004251608.tif 000009
【図８】
2004251608.tif 000010